(57)【要約】【課題】フィルタ装置にて捕集した粒子をフィルタ上から流出したりフィルタを二次汚染にさらしたりすることなく粒子を分析すること【解決手段】逆止弁の弁体と一体となって可動なフィルタと、逆止弁閉弁時にフィルタの上流側の面を閉塞する閉塞板とを備えたフィルタ装置により、フィルタ装置を管路から取外し逆止弁の弁体が閉弁状態となると、逆止弁の弁体とともにフィルタが移動し、フィルタの上流側の面が閉塞板によって閉塞され、捕集した粒子がフィルタ上に封じられる。【選択図】      図９
2008126204.tif 000002
【特許請求の範囲】
【請求項１】
内部を流体が流通する筒状のハウジングと、前記ハウジングに設けられた流体の流入口および流出口と、前記ハウジングの内部を流通する流体の流通経路上に設けられて流体中に含まれる粒子を捕集するフィルタとを有するフィルタ装置において、
前記ハウジングの軸方向に可動な弁体と、前記弁体が接離して前記流通経路を開閉する弁座と、前記弁体を前記弁座に押し付ける弾性体とを有する逆止弁を前記流入口と前記フィルタとの間の前記流通経路上に備え、かつ前記弁体と前記フィルタとが一体となって可動であることを特徴とするフィルタ装置。
【請求項２】
請求項１に記載のフィルタ装置において、
前記逆止弁の閉弁状態において前記フィルタの上流側の面の一部ないし全部を閉塞する閉塞板を前記ハウジングの内部に設け、
前記逆止弁の開閉に伴い前記フィルタの上流側の面と前記閉塞板が接離することを特徴とするフィルタ装置。
【請求項３】
請求項２に記載のフィルタ装置において、
前記フィルタの上流側の流体圧力が下流側の流体圧力よりも所定値以上高くなると前記ハウジングの軸方向に移動して前記フィルタの上流側の流体圧力を逃がす円筒状のリリーフ弁体と、
前記リリーフ弁体と接離して前記流通経路を開閉するリリーフ弁座と、
前記リリーフ弁体を前記リリーフ弁座に押し付けるリリーフ弁弾性体とを前記ハウジングの内部にさらに備え、
前記リリーフ弁体の内側に前記逆止弁を支持する環状支持部を設け、
前記環状支持部の上部に前記逆止弁の弁体、フィルタ、および弾性体を配設することを特徴とするフィルタ装置。
【請求項４】
請求項２または３に記載のフィルタ装置において、
略同一方向に配向されるように前記流入口および前記流出口を前記ハウジングの側面に設け、
流体回路に前記流入口および前記流出口を接続するための接続部をさらに備えることを特徴とするフィルタ装置。
【請求項５】
請求項２または３に記載のフィルタ装置において、
前記ハウジングと略同軸の円筒状で前記フィルタの上流側と下流側を隔てる隔壁を前記ハウジングの内部に設け、
前記隔壁と前記ハウジングとによって形成された空間を前記流入口ないし前記流出口の流通経路とし、
前記ハウジングの底面ないし天面のいずれか一方に前記流入口および前記流出口を設け、
管路に前記流入口および前記流出口を接続するための接続部をさらに備えることを特徴とするフィルタ装置。
【請求項６】
請求項２〜５のいずれか一項に記載のフィルタ装置において、
前記流入口および前記流出口に逆止弁を設けることを特徴とするフィルタ装置。
【請求項７】
請求項２〜６のいずれか一項に記載のフィルタ装置において、
前記ハウジングの天面および底面の少なくとも一部を透明な部材とすることを特徴とするフィルタ装置。
【請求項８】
請求項７に記載のフィルタ装置と、
前記ハウジングの透明な部材を有する部位の外部に設けた撮像装置と、
前記撮像装置と接続され、前記撮像装置で撮影した画像を通信により送信する通信装置とを備えることを特徴とするフィルタ監視装置。
【請求項９】
請求項８に記載のフィルタ監視装置を備えることを特徴とする建設機械。
【発明の詳細な説明】
【技術分野】
【０００１】
本発明は、流体中の粒子を捕集するフィルタ装置と、このフィルタ装置を備えたフィルタ監視装置および建設機械に関する。
【背景技術】
【０００２】
流体中に存在する粒子について分析を行なうには粒子を流体から分離する必要がある。流体中から粒子を分離する手法としてはフィルタによるろ過が一般的である。特に管路を流れる流体中に存在する粒子を確実に捕集する装置としては、特表平9-509361にあるようなフィルタ装置が挙げられる。粒子を含んだ流体は流入口から入り、全ての流体が装置内部に設置されたフィルタを通るため、流体中に存在する粒子のうちフィルタの目よりも大きな粒子はフィルタ上に捕集され、流体は流出口より排出される。
【特許文献１】特表平9-509361
【発明の開示】
【発明が解決しようとする課題】
【０００３】
しかし従来のフィルタ装置では、粒子捕集後に管路からフィルタ装置を取り外す際に、少しでも逆流が生じるとフィルタ上に捕集した粒子が浮き上がり、流体中に紛れてしまう可能性があった。
【課題を解決するための手段】
【０００４】
（１）  請求項１の発明によるフィルタ装置は、内部を流体が流通する筒状のハウジングと、ハウジングに設けられた流体の流入口および流出口と、ハウジングの内部を流通する流体の流通経路上に設けられて流体中に含まれる粒子を捕集するフィルタとを有するフィルタ装置において、ハウジングの軸方向に可動な弁体と、弁体が接離して流通経路を開閉する弁座と、弁体を弁座に押し付ける弾性体とを有する逆止弁を流入口とフィルタとの間の流通経路上に備え、かつ弁体とフィルタとが一体となって可動であることを特徴とする。
（２）  請求項２の発明は、請求項１に記載のフィルタ装置において、逆止弁の閉弁状態においてフィルタの上流側の面の一部ないし全部を閉塞する閉塞板をハウジングの内部に設け、逆止弁の開閉に伴いフィルタの上流側の面と閉塞板が接離することを特徴とする。
（３）  請求項３の発明は、請求項２に記載のフィルタ装置において、フィルタの上流側の流体圧力が下流側の流体圧力よりも所定値以上高くなるとハウジングの軸方向に移動してフィルタの上流側の流体圧力を逃がす円筒状のリリーフ弁体と、リリーフ弁体と接離して流通経路を開閉するリリーフ弁座と、リリーフ弁体をリリーフ弁座に押し付けるリリーフ弁弾性体とをハウジングの内部にさらに備え、リリーフ弁体の内側に逆止弁を支持する環状支持部を設け、環状支持部の上部に逆止弁の弁体、フィルタ、および弾性体を配設することを特徴とする。
（４）  請求項４の発明は、請求項２または３に記載のフィルタ装置において、略同一方向に配向されるように流入口および流出口をハウジングの側面に設け、流体回路に流入口および流出口を接続するための接続部をさらに備えることを特徴とする。
（５）  請求項５の発明は、請求項２または３に記載のフィルタ装置において、ハウジングと略同軸の円筒状でフィルタの上流側と下流側を隔てる隔壁をハウジングの内部に設け、隔壁とハウジングとによって形成された空間を流入口ないし流出口の流通経路とし、ハウジングの底面ないし天面のいずれか一方に流入口および流出口を設け、管路に流入口および流出口を接続するための接続部をさらに備えることを特徴とする。
（６）  請求項６の発明は、請求項２〜５のいずれか一項に記載のフィルタ装置において、流入口および流出口に逆止弁を設けることを特徴とする。
（７）  請求項７の発明は、請求項２〜６のいずれか一項に記載のフィルタ装置において、ハウジングの天面および底面の少なくとも一部を透明な部材とすることを特徴とする。
（８）  請求項８の発明によるフィルタ監視装置は、請求項７に記載のフィルタ装置と、ハウジングの透明な部材を有する部位の外部に設けた撮像装置と、撮像装置と接続され、撮像装置で撮影した画像を通信により送信する通信装置とを備えることを特徴とする。
（９）  請求項９の発明による建設機械は、請求項８に記載のフィルタ監視装置を備えることを特徴とする。
【発明の効果】
【０００５】
本発明によれば、フィルタにより流体中の粒子を捕集後、捕集粒子が流出することなく捕集粒子の分析が可能となる。
【発明を実施するための最良の形態】
【０００６】
以下、本発明によるフィルタ装置の実施の形態を、建設機械等の油圧管路中に設置し作動油中の粒子を捕集する場合を例に、図に基づいて説明する。
【０００７】
―――第１の実施の形態―――
図１，２を参照して、本発明によるフィルタ装置の第１の実施の形態を説明する。図1は、本実施の形態のフィルタ装置の構造を示す断面図であり、図2は、本実施の形態のフィルタ装置の外観図である。図１に示すように、このフィルタ装置１００は円筒状のハウジング１を有し、ハウジング１の側面の上部と下部にそれぞれ作動油の流入口２と流出口３を有している。ハウジング１内部の作動油の流通経路上には中央にフィルタ４を備えた円盤状の弁体５と、弁体５を押し付ける弾性体としてのばね７とが設けられている。
【０００８】
弁体５は、フィルタ４とともにハウジング１の軸方向に可動な構造となっている。ハウジング１の天面の中央凹部の内面は、フィルタ４の上流側の面に当接してフィルタ４の上流側の面を閉塞する閉塞板８として機能し、中央凹部の斜面は、弁体５が接離して流通経路を開閉する弁座６として機能する構造となっている。
【０００９】
ハウジング１の内部の流通経路は、フィルタ４および弁体５によって上流部１ａと下流部１ｂとに隔てられている。フィルタ装置１００に作動油が流入していないときには、ばね７の付勢力により弁体５が上流側へ移動して弁座６と接しており、上流部１ａと下流部１ｂとは、弁体５によって遮断されている。フィルタ装置１００を油圧管路（流体回路）中に設置し、流入口２から上流部１ａへ作動油が流入して、上流部１ａの内部の圧力が下流部１ｂの内部の圧力よりも所定値以上高くなると、弁体５が下流側へと移動する。これにより、当接していた弁体５と弁座６とが離間することで開弁し、弁体５と弁座６の間から作動油がフィルタ４へと流入する。作動油中の粒子はフィルタ４上に捕集され、作動油はフィルタ４を通過して下流部１ｂを経由して流出口３へと流れる。
【００１０】
油圧管路からフィルタ装置１００を取り外すと流入口２よりフィルタ装置１００へ作動油が流入しなくなるため、上流部１ａと下流部１ｂとの圧力差が小さくなり、ばね７の付勢力により弁体５が上流側へ移動し弁座６と接して閉弁する。これにより、ハウジング１の内部の流通経路が流入口２とフィルタ４との間で遮断されるとともに、閉塞板８によりフィルタ４の上流側の面が閉塞される。このように、弁体５と、弁座６と、ばね７とによって逆止弁が構成されている。この逆止弁は、流入口２とフィルタ４の間の流通経路上に設けられている。
【００１１】
上述した第１の実施の形態のフィルタ装置によれば、次の作用効果を奏する。
（１）  従来のフィルタ装置では、粒子捕集後に管路からフィルタ装置を取り外す際に、少しでも逆流が生じるとフィルタ上に捕集した粒子が浮き上がり、流体中に紛れてしまう可能性があった。これに対して、本実施の形態のフィルタ装置では、油圧管路からフィルタ装置１００を取り外すと、ばね７の付勢力により弁体５が上流側へ移動し、ハウジング１の内部の流通経路が流入口２とフィルタ４との間で遮断されるように構成した。これにより、油圧管路からフィルタ装置１００を取り外す際に捕集した粒子が流出するのを防ぐことができるとともに、フィルタ装置１００を着脱する際の外気との接触によるフィルタ４の汚染を防ぐことができる。
【００１２】
（２）  また、従来のフィルタ装置では、捕集した粒子について分析を行なうためフィルタ装置からフィルタを回収する際にも捕集粒子が流出する可能性があった。特に流体の粘性が高い場合やフィルタの孔径が小さい場合にはフィルタの上流側に流体が留まっており、上流側の流体とともに粒子も流出してしまう可能性が高い。このような捕集後の粒子の流出により分析対象とする粒子の捕集精度が落ちると粒子の分析精度にも影響を及ぼす。これに対して、本実施の形態のフィルタ装置では、油圧管路からフィルタ装置１００を取り外すと、ばね７の付勢力により弁体５が上流側へ移動し、フィルタ4と閉塞板８の間の空間を減少させる。つまり、閉塞板８によりフィルタ４の上流側の面が閉塞されることで捕集粒子を閉塞板8とフィルタ４により拘束するように構成した。これにより、フィルタ４の上流側の面上にある流体が排出され、フィルタ装置１００からフィルタ4を回収する際にフィルタ4の上流側に留まっていた流体とともに粒子が流出するのを防ぐことができる。
【００１３】
―――第２の実施の形態―――
図３を参照して、本発明によるフィルタ装置の第２の実施の形態を説明する。図３は、本実施の形態のフィルタ装置の構造を示す断面図である。以下の説明では、第１の実施の形態と同じ構成要素には同じ符号を付して相違点を主に説明する。特に説明しない点については、第１の実施の形態と同じである。図３に示すように、このフィルタ装置２００はハウジング１の軸方向に可動な円筒状のリリーフ弁体１０と、リリーフ弁座１１と、リリーフ弁体１０をリリーフ弁座１１に押し付けるリリーフ弁弾性体としてのばね１２とを有するリリーフ弁をさらに備えている。
【００１４】
円筒状のリリーフ弁体１０は内部に環状支持部１５を有し、環状支持部１５の上部に第１の実施の形態で示したフィルタ４と弁体５とばね７とが配設されている。またリリーフ弁体１０の下部側面には、リリーフ弁体１０の外周面側と内周面側との間で流体を流通可能とする貫通孔１３が設けられている。環状支持部１５の下面と、ハウジング１の下端に設けたばね受け１４との間にはばね１２が設けられ、リリーフ弁体１０をリリーフ弁座１１へ押し付けている。ばね７およびばね１２のばね定数および初期縮み量は、弁体７が作動する上流部１ａと下流部１ｂとの圧力差よりリリーフ弁体１０が作動する上流部１ａと下流部１ｂとの圧力差の方が大きくなるように設定されている。なお、リリーフ弁座１１は、リリーフ弁体１０がばね１２で上方に移動されたときにリリーフ弁体１０と当接して、上流部１ａと下流部１ｂとを仕切る（遮断する）ように、ハウジング１の内周面に設けられている。
【００１５】
フィルタ装置１００に作動油が流入していないときには、ばね７の付勢力により弁体５が上流側へ移動して弁座６と接しており、上流部１ａと下流部１ｂとは、弁体５によって遮断されている。また、フィルタ装置１００に作動油が流入していないときには、上述したように、ばね１２の付勢力によりリリーフ弁体１０が上流側へ移動してリリーフ弁座１１と接しており、上流部１ａと下流部１ｂとは、リリーフ弁体１０によって遮断されている。
【００１６】
流入口２よりフィルタ装置２００に流入した作動油の圧力により弁体７が作動すると（下方に移動すると）、作動油はフィルタ４を通過して流出口３へと流れていく。フィルタ４に目詰まりが生じていなく、フィルタ４における圧力損失が所定値より低い場合には、ばね１２の付勢力によりリリーフ弁体１０がリリーフ弁座１１と接している。フィルタ４が目詰まりしてフィルタ４における圧力損失が所定値より高くなると、すなわち、上流部１ａと下流部１ｂとの圧力差が所定値よりも大きくなると、ばね１２の付勢力に抗してリリーフ弁体１０が下流側へ移動する。これにより、作動油が上流部１ａからリリーフ弁体１０と弁座１１との間を介してハウジング１の内周面とリリーフ弁体１０の外周面との間を下方に向かって流れ、貫通孔１３を通って下流部１ｂおよび流出口３へ流れる。このように、本実施の形態のフィルタ装置２００は、フィルタ４における圧力損失が所定値より高くなるとフィルタ４の上流側の作動油を下流側に逃がすことで、フィルタ４の上流側の流体圧力を逃がす構造となっている。
【００１７】
上述した第２の実施の形態のフィルタ装置では、第１の実施の形態の作用効果に加え、次の作用効果を奏する。
（１）  上流部１ａと下流部１ｂとの圧力差が所定値よりも大きくなると、リリーフ弁体１０が下流側へ移動するように構成した。これにより、フィルタ４が目詰まりしてもフィルタ４の上流側が高圧になるのを防止できるので、フィルタ装置２００の上流側管路やフィルタ４の破損などの不具合を回避できる。
【００１８】
―――第３の実施の形態―――
図４〜７を参照して、本発明によるフィルタ装置の第３の実施の形態を説明する。図４は、本実施の形態のフィルタ装置の構造を示す断面図であり、図５は、本実施の形態のフィルタ装置の外観図である。なお、図５では図4の接続部２０を透視し、接続部２０の内部を示している。以下の説明では、第１または第2の実施の形態と同じ構成要素には同じ符号を付して相違点を主に説明する。特に説明しない点については、第１または第2の実施の形態と同じである。
【００１９】
図４に示すように、このフィルタ装置３００は第２の実施の形態で示したフィルタ装置２００において、略同一方向に配向されるように流入口２と流出口３とをハウジング１の側面に設け、流入口２および流出口３を油圧管路に接続するためのねじ込み式の接続部２０を備え、油圧管路上に設けた接続部に接続できる構造になっている。すなわち、１箇所の接続部２０で、流入口２および流出口３を油圧管路に接続できる。
【００２０】
また、図６および図７に断面を示したフィルタ装置４００，５００のようにしてもよい。すなわち、ハウジング１と同一軸方向の円筒状でフィルタ４の上流側と下流側を隔てる隔壁２１をハウジング１の内部に設ける。隔壁２１とハウジング１によって形成された空間を流入口２ないし流出口３の流通経路とし、ハウジング１の底面ないし天面のいずれか一方に流入口２および流出口３を設け、流入口２と流出口３の周囲に油圧管路に接続するための接続部２０を備える構造としても良い。
【００２１】
なお、フィルタ装置４００，５００では、リリーフ弁座１１を隔壁２１の内周面に設けている。フィルタ装置４００，５００に作動油が流入していないときには、ばね７の付勢力により弁体５が上流側へ移動して弁座６と接しており、上流部１ａと下流部１ｂとは、弁体５によって遮断されている。また、フィルタ装置４００，５００に作動油が流入していないときには、ばね１２の付勢力によりリリーフ弁体１０が上流側へ移動してリリーフ弁座１１と接しており、上流部１ａと下流部１ｂとは、リリーフ弁体１０によって遮断されている。
【００２２】
流入口２よりフィルタ装置４００，５００に流入した作動油の圧力により弁体７が作動すると、作動油はフィルタ４を通過して流出口３へと流れていく。フィルタ４に目詰まりが生じていなく、フィルタ４における圧力損失が所定値より低い場合には、ばね１２の付勢力によりリリーフ弁体１０がリリーフ弁座１１と接している。フィルタ４が目詰まりしてフィルタ４における圧力損失が所定値より高くなると、すなわち、上流部１ａと下流部１ｂとの圧力差が所定値よりも大きくなると、リリーフ弁体１０が下流側へ移動する。
【００２３】
これにより、フィルタ装置４００では、作動油が上流部１ａからリリーフ弁体１０と弁座１１との間を介して隔壁２１の内周面とリリーフ弁体１０の外周面との間を下方に向かって流れ、貫通孔１３を通って下流部１ｂおよび流出口３へ流れる。また、フィルタ装置５００では、作動油が上流部１ａからリリーフ弁体１０と弁座１１との間を介して隔壁２１の内周面とリリーフ弁体１０の外周面との間を下方に向かって流れ、下流部１ｂ、および、ハウジング１の内周面と隔壁２１の外周面との間の流通経路を通って流出口３へと流れる。
【００２４】
また、図8に断面を示したフィルタ装置６００のように、弁体２２、弁座２３、ばね２４、ばね受け２５を有する逆止弁を流入口２および流出口３にそれぞれ設けてもよい。フィルタ装置６００を油圧管路に設置した場合には流体の圧力により流入口２および流出口３の逆止弁が作動し流体が装置内部を流れ、フィルタ装置６００を油圧管路から外した場合には流入口２および流出口３の逆止弁が流通経路を遮断しフィルタ装置内部の作動油を封じる。
【００２５】
上述した第３の実施の形態のフィルタ装置では、第１および第２の実施の形態の作用効果に加え、次の作用効果を奏する。
（１）  フィルタ装置３００〜６００に設けた接続部２０で油圧管路に対して着脱できるように構成したので、フィルタ装置３００〜６００の油圧管路への着脱が容易になる。
（２）  流入口２および流出口３に逆止弁を配設したので、フィルタ装置６００を油圧管路から取り外す際に、フィルタ装置６００の内部に残っている作動油がこぼれるのを防ぐことができる。また、フィルタ装置６００がオイルサンプル容器として利用可能となる。
【００２６】
―――第４の実施の形態―――
図９，１０を参照して、本発明によるフィルタ装置の第４の実施の形態を説明する。以下の説明では、第１〜第3の実施の形態と同じ構成要素には同じ符号を付して相違点を主に説明する。特に説明しない点については、第１〜第3の実施の形態と同じである。本実施の形態のフィルタ装置は、フィルタ装置の外部からフィルタ４を視認可能となるように構成されている。すなわち、図９の断面図に示すように、本実施の形態のフィルタ装置７００は、第３の実施の形態で示したフィルタ装置３００に対して、フィルタ４の表面を投影したハウジング１の底面および閉塞板８に透明な部材を有する窓３０および窓３１をさらに備えるように構成されている。
【００２７】
フィルタ４において捕集された粒子は窓３０を通して装置外部から直接観察することができる。また、図１０に示すように、窓３０の外部に画像を記録する撮像装置３２と、撮像装置にて記録した情報を無線通信などにより監視センタへ通信するための通信装置３３を備えることもできる。さらに、窓３１の外部に光源３４を設けることで、フィルタ４上の粒子を投影した投影像を観察することもできる。フィルタ装置７００と、撮像装置３２と、通信装置３３とによって、フィルタ監視装置４０を構成することができる。
【００２８】
上述した第４の実施の形態のフィルタ装置では、第１〜３の実施の形態の作用効果に加え、次の作用効果を奏する。
（１）  フィルタ装置７００のハウジング１に観察用の窓３０を設けることで、フィルタ装置を油圧管路から取り外すことなくフィルタ４上に捕集した粒子を観察することができるようになる。
（２）  上記窓３０の外部に設けた画像を記録する記録装置３２により記録された情報を通信装置３３により遠隔地に通信することで、遠隔地からフィルタ４上の粒子を観察することができるようになる。
【００２９】
上述した第１〜４の実施の形態においては、フィルタ装置１００〜７００のハウジング１は２分割できる構造とし、ねじ込み式あるいはフランジ型にしてボルトで一体化することができるようにしても良い。ハウジング１を分解することで、フィルタ４、弁体５、１０、ばね７、１２を交換することができるようになる。
【００３０】
上述した第１〜４の実施の形態においては、対象とする流体を作動油としたが、エンジンオイルや水溶液などその他の流体を対象としても良い。また、捕集の対象についても、フィルタの種類を適切に選定することで粒子だけではなくDNAや微生物などを対象としても良い。
【００３１】
なお、上述したフィルタ監視装置４０を建設機械の油圧回路に配設することができる。図１１に示すように、建設機械の油圧回路は油圧ポンプ４１、油圧モータ４２、油圧シリンダ４３、コントロールバルブ４４など複数の油圧機器から構成されている。これらの油圧機器の下流に上述したフィルタ監視装置４０をそれぞれ設ける。各油圧機器において発生した摩耗粒子はそれぞれのフィルタ監視装置４０で捕集され、撮像装置により撮影された画像を通信装置により監視センタへ送信し、監視センタで油圧機器の状態を分析することができる。
【００３２】
これにより、屋外にて移動する建設機械において、遠隔地から油圧機器の状態を分析することができるようになり、建設機械のメンテナンスを効率化できる。
【００３３】
なお、以上の説明はあくまで一例であり、発明を解釈する際、上記の実施形態の記載事項と特許請求の範囲の記載事項の対応関係になんら限定も拘束もされない。
【図面の簡単な説明】
【００３４】
【図１】第１の実施の形態を示すフィルタ可動式フィルタ装置の断面図である。
【図２】第１の実施の形態を示すフィルタ可動式フィルタ装置の外観図である。
【図３】第２の実施の形態を示すリリーフ弁付フィルタ装置の断面図である。
【図４】第３の実施の形態を示す側面接続型カートリッジ式フィルタ装置の断面図である。
【図５】第３の実施の形態を示す側面接続型カートリッジ式フィルタ装置の断外観図である。
【図６】第３の実施の形態を示す底面接続型カートリッジ式フィルタ装置の断面図である。
【図７】第３の実施の形態を示す天面接続型カートリッジ式フィルタ装置の断面図である。
【図８】第３の実施の形態を示す逆止弁付フィルタ装置の断面図である。
【図９】第４の実施の形態を示す捕集物観察用フィルタ装置の断面図である。
【図１０】第４の実施の形態を示すフィルタ監視装置の概念図である。
【図１１】建設機械の油圧回路の概念図である。
【符号の説明】
【００３５】
１：ハウジング  ２：流入口  ３：流出口  ４：フィルタ  ５：弁体  ６：弁座
７：ばね  ８：閉塞板  １０：リリーフ弁体  １１：リリーフ弁座  １２：ばね
１３：貫通孔  １４：ばね受け  １５：環状支持部
２０：接続部  ２１：隔壁  ２２：弁体  ２３：弁座  ２４：ばね  ２５：ばね受け
３０、３１：窓  ３２：撮像装置  ３３：通信装置  ３４：光源
４０フィルタ監視装置  ４１：油圧ポンプ  ４２：油圧モータ
４３：油圧シリンダ  ４４：コントロールバルブ
１００〜７００：フィルタ装置
【図１】
2008126204.tif 000003
【図２】
2008126204.tif 000004
【図３】
2008126204.tif 000005
【図４】
2008126204.tif 000006
【図５】
2008126204.tif 000007
【図６】
2008126204.tif 000008
【図７】
2008126204.tif 000009
【図８】
2008126204.tif 000010
【図９】
2008126204.tif 000011
【図１０】
2008126204.tif 000012
【図１１】
2008126204.tif 000013